(57)【特許請求の範囲】
【請求項１】
車両で取得した所定情報に基づいて絵柄の変動表示を開始させるべく表示部の表示制御を実行する機能と、
前記絵柄の変動表示が終了した際に前記表示部に特定絵柄を表示させた場合、利益を付与する機能と
を備えることを特徴とする車載用電子機器。
【請求項２】
前記特定絵柄と、前記利益に関する情報と、を同時に視認可能に表示させる機能を備えることを特徴とする請求項１に記載の車載用電子機器。
【請求項３】
前記特定絵柄と、前記利益に関する情報と、所定の警報情報と、を同時に視認可能に表示させる機能を備えることを特徴とする請求項２に記載の車載用電子機器。
【請求項４】
前記警報情報の下方に前記特定絵柄と前記利益に関する情報とを横並びに表示させる機能を備えることを特徴とする請求項３に記載の車載用電子機器。
【請求項５】
所定周波数帯の電波を受信した場合に前記絵柄の変動表示を開始させるべく前記表示部の表示制御を実行する機能を備えることを特徴とする請求項１乃至請求項４のいずれかに記載の車載用電子機器。
【請求項６】
所定周波数帯の電波を受信したことを報知した場合に前記絵柄の変動表示を開始させるべく前記表示部の表示制御を実行する機能を備えることを特徴とする請求項１乃至請求項４のいずれかに記載の車載用電子機器。
【請求項７】
所定周波数帯の電波を受信したことに基づいて、前記電波が目標物から出力された電波であるか否かを判断する判断手段と、
前記判断手段が前記目標物から出力された電波であると判断した場合に報知する報知手段と
を備え、
前記報知手段が前記報知を実行した場合に前記絵柄の変動表示を開始させるべく前記表示部の表示制御を実行する機能を備えることを特徴とする請求項１乃至請求項４のいずれかに記載の車載用電子機器。
【請求項８】
車両に搭載された手段から取得した情報が所定の状態に変化した場合、前記絵柄の変動表示を開始させるべく前記表示部の表示制御を実行する機能を備えることを特徴とする請求項１乃至請求項７のいずれかに記載の車載用電子機器。
【請求項９】
前記絵柄として、複数の数字絵柄と、キャラクタ絵柄と、により構成される複数の絵柄列が変動表示される構成とし、前記各絵柄列の数字絵柄によって形成される第１特定絵柄が前記表示部に表示された場合と、前記各絵柄列のキャラクタ絵柄によって形成される第２特定絵柄が前記表示部に表示された場合と、で異なる利益を付与する機能を備えることを特徴とする請求項１乃至請求項８のいずれかに記載の車載用電子機器。
【請求項１０】
車両の速度情報と位置情報とを取得する手段と、
前記位置情報が前記車両の所定位置への接近を示すものでない場合、前記速度情報に基づいて第１演出を実行する第１演出実行手段と、
前記位置情報が前記車両の所定位置への接近を示すものである場合、前記速度情報と、前記第１演出実行手段の実行結果と、に基づいて第２演出を実行する第２演出実行手段と
を備えたことを特徴とする車載用電子機器。
【請求項１１】
前記第２演出実行手段は、第１キャラクタと第２キャラクタの戦闘演出を実行する機能を備えることを特徴とする請求項１０に記載の車載用電子機器。
【請求項１２】
前記第２演出実行手段は、前記速度情報が所定速度を上回るものであった場合、前記第１キャラクタが敗北する演出を高確率で実行し、前記速度情報が前記所定速度を上回るものでなかった場合、前記第１キャラクタが勝利する演出を前記第１演出実行手段の実行結果に基づいて実行する機能を備えることを特徴とする請求項１１に記載の車載用電子機器。
【請求項１３】
前記第１演出実行手段は、前記速度情報が所定速度を上回るものであった場合、前記第１キャラクタが弱くなる演出を実行し、前記速度情報が前記所定速度を上回るものでなかった場合、前記第１キャラクタが強くなる演出を実行する機能を備えることを特徴とする請求項１１又は請求項１２に記載の車載用電子機器。
【請求項１４】
前記第２キャラクタを複数設定するとともに、前記第１キャラクタが勝利する度に前記第２キャラクタが切り替わる構成を備えることを特徴とする請求項１１乃至請求項１３のいずれかに記載の車載用電子機器。
【請求項１５】
ＧＰＳ衛星からのＧＰＳ衛星データを受信するデータ受信部と、
各ＧＰＳ衛星と星座とを１対１で対応付けた衛星情報データを記憶する記憶部と、
所定条件が成立した後に前記ＧＰＳデータを受信した場合、当該ＧＰＳデータの出力先のＧＰＳ衛星と対応する星座を最も運勢の良い星座として報知する報知部と
を備えたことを特徴とする車載用電子機器。
【請求項１６】
所定の仮想経路データを用いて表示部に仮想経路を表示させる機能と、
前記表示部に前記仮想経路における現在地点を表示させる機能と、
所定情報を用いて車両の移動距離を算出する算出機能と、
前記算出機能の算出結果に基づいて、前記現在地点を移動表示させる機能と
を備え、
前記仮想経路を表示させる機能は、前記車両の現実の移動経路と無関係な経路を、スタート地点からゴール地点までの経路が把握可能となるよう前記表示部に表示させる機能を備えることを特徴とする車載用電子機器。
【請求項１７】
前記算出機能の算出結果を記憶する記憶手段を備え、前記記憶手段を着脱可能な構成としたことを特徴とする請求項１６に記載の車載用電子機器。
【請求項１８】
前記算出機能の算出結果を記憶する記憶手段と、前記算出結果を外部に出力する外部出力手段とを備えたことを特徴とする請求項１６又は請求項１７に記載の車載用電子機器。
【発明の詳細な説明】
【技術分野】
【０００１】
本発明は、車両に搭載される車載用電子機器及びプログラムに関するものである。
【背景技術】
【０００２】
車両に搭載される車載用電子機器としては、例えば車両用警報装置がある。車両用警報装置は、車両速度測定装置から送出されるマイクロ波を検知して報知するものや、ＧＰＳにより検出した自車の位置情報が予め記憶された車両速度測定装置の位置情報と接近した場合に報知するものが知られている（例えば特許文献１参照）。これら車両用警報装置は、報知がなされた場合に自車が車両速度測定装置に接近していることを意味するため、速度超過に対する注意を喚起することができる。
【先行技術文献】
【特許文献】
【０００３】
【特許文献１】特開２０１０−４１２８１号公報
【発明の概要】
【発明が解決しようとする課題】
【０００４】
上記車両用警報装置は、例えば気付かないうちに速度超過してしまうドライバーにとって、安全運転の観点から興味深いものであり、購買意欲の湧くものであると考えられる。一方、例えば法定速度を遵守するドライバーは、車両速度測定装置の位置警報だけでは興味を抱かない可能性が考えられ、車両用警報装置に対して購買意欲を生じさせない可能性が考えられる。
【０００５】
なお以上の問題は、車両用警報装置に限らず、ＥＴＣやナビゲーションシステム等の車両に搭載される他の車載用電子機器にも該当する問題である。
【０００６】
本発明は上記例示した事情等に鑑みてなされたものであり、ドライバーに購買意欲を生じさせることが可能な車載用電子機器及びプログラムを提供することを目的とするものである。
【課題を解決するための手段】
【０００７】
（１）所定情報を取得する情報取得手段と、前記所定情報に基づいて娯楽情報を提供する娯楽情報提供手段とを備え、前記情報取得手段は、前記所定情報として車両に搭載された特定手段に入力される情報を取得することを特徴とする車載用電子機器。
【０００８】
本車載用電子機器によれば、車両に搭載された特定手段に入力される情報に基づいて娯楽情報が提供される。このように、車載用電子機器に娯楽情報を提供するという新たな機能を付与することにより、ドライバーに購買意欲を生じさせることが可能となる。
【０００９】
（２）ＧＰＳ衛星からのＧＰＳ衛星データを受信するデータ受信部を備え、前記情報取得手段は、前記所定情報として前記ＧＰＳ衛星データを取得することを特徴とする（１）に記載の車載用電子機器。
【００１０】
本車載用電子機器によれば、ＧＰＳ衛星からのＧＰＳ衛星データを受信するデータ受信部を備えており、ＧＰＳ衛星データに基づいて娯楽情報が提供される。車載用電子機器の外部に設けられた特定手段に入力される情報を取得する構成とした場合には、車載用電子機器の車両への搭載にあたって特定手段と車載用電子機器を接続する作業が必要となるが、車載用電子機器に設けられたデータ受信部に入力される情報に基づいて娯楽情報を提供する構成とした場合には、前記作業が不要となる。故に、車載用電子機器の車両への搭載作業を容易なものとすることが可能となり、ドライバーに購買意欲を生じさせることが可能となる。
【００１１】
（３）前記娯楽情報提供手段は、前記娯楽情報として、使用者の利益に関わる情報と、使用者の将来に関する情報とのうち少なくとも一つを提供することを特徴とする（１）又は（２）に記載の車載用電子機器。
【００１２】
本車載用電子機器によれば、娯楽情報として、使用者の利益に関わる情報と、使用者の将来に関する情報（例えば将来を予測した情報等）とのうち少なくとも一つが提供される。かかる構成とすることにより、ドライバーの要望に即した車載用電子機器を提供することが可能となる。使用者の将来に関する情報としては、例えば、車両を所定経路で走行させたと仮定した場合の到達地点に関わる情報を含むと良い。
【００１３】
（４）前記娯楽情報提供手段は、情報を表示する表示部と、所定の仮想経路データを予め記憶する仮想経路データ記憶手段と、前記仮想経路データを用いて前記表示部に仮想経路を表示する仮想経路表示手段と、前記表示部に前記仮想経路における現在地点を表示する現在地点表示手段と、前記所定情報を用いて前記車両の移動距離を算出する算出手段と、前記算出手段の算出結果に基づいて、前記現在地点を移動表示させる移動表示手段とを備え、前記仮想経路表示手段は、前記車両の現実の移動経路と無関係な経路を前記仮想経路として前記表示部に表示することを特徴とする（１）乃至（３）のいずれかに記載の車載用電子機器。
【００１４】
本車載用電子機器によれば、車両の現実の移動経路と無関係な経路が仮想経路として表示され、車両の移動距離によって仮想経路における現在地点が移動表示される。かかる構成とすることにより、車両の現実の移動距離が仮想経路上ではどれだけ移動したことになるのかをドライバーに報知することができ、ドライバーに購買意欲を生じさせることが可能となる。
【００１５】
なお、「現在地点を移動表示させる」とは、仮想経路上で現在地点を実際に移動させるものに限らず、現在地点の表示位置を移動させることなく仮想経路を移動させることで現在地点が移動しているかのごとく表示するものも含む。
【００１６】
（５）前記娯楽情報提供手段は、絵柄が変動表示される表示部と、前記情報取得手段が前記所定情報を取得したことに基づいて、前記絵柄の変動表示を開始させるべく前記表示部の表示制御を実行する変動制御手段と、前記絵柄の変動表示が終了した際に前記表示部に特定絵柄が表示された場合、利益情報を付与する利益情報付与手段とを備えたことを特徴とする（１）乃至（４）のいずれかに記載の車載用電子機器。
【００１７】
本車載用電子機器によれば、情報取得手段が所定情報を取得したことに基づいて絵柄の変動表示が開始され、絵柄の変動表示が終了した際に表示部に特定絵柄が表示された場合、利益情報が付与される。かかる構成とすることにより、所定情報が取得されることを期待させながらドライバーに車両を運転させることが可能となり、車両を走行させる楽しみを提供することが可能となる。
【００１８】
なお、「利益情報」とは、景品や景品が付与されるパスワード等のドライバーが実際に得するものに限らず、交通標語等のドライバーの役に立つものも含む。
【００１９】
（６）所定周波数帯の電波を受信する受信部と、前記所定周波数帯の電波の受信を報知する報知手段とを備え、前記変動制御手段は、前記受信部が前記電波を受信した場合、又は前記報知手段が前記報知を実行した場合に前記絵柄の変動表示を開始させるべく前記表示部の表示制御を実行することを特徴とする（５）に記載の車載用電子機器。
【００２０】
本車載用電子機器によれば、受信部が所定周波数帯の電波を受信した場合、又は報知手段が所定周波数帯の電波の受信を報知した場合に絵柄の変動表示が開始される。例えば所定周波数帯の電波として車両速度測定装置から送出されるマイクロ波は、自動ドア等でも使用されている。このため、マイクロ波の受信を報知する構成においては、目標物以外から送出されたマイクロ波の受信を誤報知してしまう可能性が考えられ、誤報知した場合にはドライバーが車載用電子機器の利用意欲を減退させてしまう可能性が考えられる。そこで、所定周波数帯の電波を受信した場合、又は所定周波数帯の電波の受信を報知した場合に絵柄の変動表示が開始される構成とすることにより、誤報知してしまった場合であっても利益情報が付与される期待感をドライバーに抱かせることが可能となり、上記懸念を好適に解消することができる。
【００２１】
なお、報知手段は、受信した電波の周波数によって異なる報知態様で報知する構成とすることが望ましい。
【００２２】
（７）前記娯楽情報提供手段は、前記所定情報に基づいて前記車両の走行速度を算出する速度算出手段と、前記所定情報に基づいて前記車両の位置情報を算出する位置情報算出手段と、前記位置情報が前記車両の所定位置への接近を示すものでない場合、前記速度算出手段の算出結果が所定速度以下であることに基づいて第１演出を実行する第１演出実行手段と、前記位置情報が前記車両の所定位置への接近を示すものである場合、前記速度算出手段の算出結果と、前記第１演出実行手段の実行結果と、に基づいて第２演出を実行する第２演出実行手段とを備えたことを特徴とする（１）乃至（６）のいずれかに記載の車載用電子機器。
【００２３】
本車載用電子機器によれば、車両が所定位置に接近していない場合、車両の走行速度が所定速度以下であることに基づいて第１演出が実行される。そして、車両が所定位置に接近した場合には、車両の走行速度と、第１演出実行手段の実行結果と、に基づいて第２演出が実行される。第２演出を車両の走行速度と関連付けることにより、車両が所定位置に接近した場合に第２演出を通じて速度超過に対する注意を喚起することができる。また、車両の走行速度のみならず第１演出実行手段の実行結果を関連付けることにより、車両が所定位置に接近していない場合であっても所定速度以下で走行するよう促すことが可能となり、安全運転に貢献することが可能となる。
【００２４】
（８）前記娯楽情報を提供する際に用いる娯楽提供用情報を記憶する娯楽提供用情報記憶手段を備え、前記娯楽提供用情報記憶手段を着脱可能な構成としたことを特徴とする（１）乃至（７）のいずれかに記載の車載用電子機器。
【００２５】
本車載用電子機器によれば、娯楽提供用情報記憶手段を着脱可能な構成としたため、車載用電子機器が買い換えられた場合に、以前に使用されていた車載用電子機器の娯楽提供用情報を用いて娯楽情報を提供することが可能となる。
【００２６】
（９）前記娯楽情報を提供する際に用いる娯楽提供用情報を記憶する娯楽提供用情報記憶手段と、前記娯楽提供用情報を外部に出力する外部出力手段とを備えたことを特徴とする（１）乃至（８）のいずれかに記載の車載用電子機器。
【００２７】
本車載用電子機器によれば、娯楽提供用情報を外部出力可能な構成としたため、車載用電子機器が買い換えられた場合に、以前に使用されていた車載用電子機器の娯楽提供用情報を用いて娯楽情報を提供することが可能となる。
【００２８】
（１０）前記娯楽情報を提供する際に用いる娯楽提供用情報を記憶する娯楽提供用情報記憶手段と、外部装置から新たな娯楽提供用情報が入力された場合、前記娯楽提供用情報記憶手段に記憶された娯楽提供用情報を前記新たな娯楽提供用情報に更新する更新手段とを備えたことを特徴とする（１）乃至（９）のいずれかに記載の車載用電子機器。
【００２９】
本車載用電子機器によれば、娯楽提供用情報を更新可能な構成としたため、使用者が提供される娯楽情報に飽きてしまうことを抑制することが可能となる。
【００３０】
（１１）（１）乃至（１０）のいずれかに記載の車載用電子機器としての機能をコンピュータに実現させるためのプログラムとして実現できる。
【発明の効果】
【００３１】
娯楽情報を提供するという新たな機能を付与することにより、ドライバーに購買意欲を生じさせることが可能となる。
【図面の簡単な説明】
【００３２】
【図１】一実施の形態における車両用警報装置を示す図である。
【図２】車両用警報装置のブロック図である。
【図３】仮想経路表示処理を示すフローチャートである。
【図４】娯楽情報の表示例を示す図である。
【図５】娯楽情報の表示例を示す図である。
【図６】娯楽情報の表示例を示す図である。
【図７】娯楽情報と警報情報の表示態様を示す図である。
【発明を実施するための形態】
【００３３】
以下、車載用電子機器の一種である車両用警報装置に適用した場合の実施形態を説明する。
【００３４】
図１は車両用警報装置１０の構成を示す図である。車両用警報装置１０は、本体部１１を有している。本体部１１の前面には、仮想経路等の各種娯楽情報を提供する表示装置１２が設けられている。表示装置１２は、小型液晶ディスプレイによって形成されている。表示装置１２の下方には、中央部に設定ボタン１３が配置されるとともに、当該設定ボタン１３の四方を囲むようにして選択ボタン１４が配置されている。設定ボタン１３及び選択ボタン１４は、表示装置１２に表示される娯楽情報を設定する際に操作されるボタンである。選択ボタン１４の左方には、娯楽情報を切り替える際に操作される切替ボタン１５が配置されており、選択ボタン１４の右方には、リセットボタン１６が配置されている。表示装置１２の左右両側方には、車両速度測定装置の接近等を報知する警報ランプ１７が配置されている。また、表示装置１２の左方には、携帯電話機等の赤外線通信機を内蔵した外部装置とデータの送受信を行うための赤外線通信機１８が配置されている。
【００３５】
本体部１０の上面には、中央から後部にかけてソーラーパネル１９が配置されている。本体部１１の右面には、電源スイッチ２０とＤＣジャック（図示略）が配置されている。ＤＣジャックは、車両のシガーソケットに接続されたシガープラグコードを接続するためのものである。前記シガープラグコードをＤＣジャックに接続することにより、車両用警報装置１０は車両から電源供給を受けて動作を行うことができる。なお、本車両用警報装置１０は、ソーラーパネル１９を搭載しているため、前記シガープラグコードがＤＣジャックに接続されなかった場合であってもソーラーパネル１９に蓄えられた電力によって動作を行うことができる。本体部１０の左面には、メモリーカードリーダ等の外部装置を接続するためのアダプタージャック２１が配置されている。本体部１１の下面には、例えば車両に備えられた車内ＬＡＮ等に接続されたケーブルを接続可能なコネクタ部２２が配置されている。
【００３６】
本体部１１の内部には、無線受信機２３とマイクロ波受信機２４が後部寄りに配置されており、ＧＰＳ受信機２５が上部に配置されており、スピーカ２６が前部に配置されている。無線受信機２３は、緊急車両等の発する無線電波を受信するためのものであり、マイクロ波受信機２４は、速度測定装置から出力される周波数帯のマイクロ波を受信するためのものである。
【００３７】
次に、本車両用警報装置１０の電気的構成について、図２のブロック図に基づいて説明する。
【００３８】
制御部２９は、車両用警報装置１０の動作全般を制御する機能を有しており、ＣＰＵ，ＲＯＭ，ＲＡＭ，Ｉ／Ｏ及びこれらを接続するバス等により構成されている。
【００３９】
データベース３０は、制御部２９に内蔵された又は当該制御部２９に外付けされた不揮発性メモリである。データベース３０には、車両速度測定装置の位置に関わる情報の他に、娯楽情報を提供するための各種情報が出荷時に記憶されている。
【００４０】
制御部２９の入力側には、設定ボタン１３，選択ボタン１４，切替ボタン１５，リセットボタン１６，電源スイッチ２０，コネクタ部２２，無線受信機２３，マイクロ波受信機２４，ＧＰＳ受信機２５が接続されている。なお、リモコン受信器を制御部２９の入力側に接続し、リモコン（子機）を操作することで設定ボタン１３等と同様の設定を行うことができる構成としても良い。制御部２９の出力側には、表示装置１２，警報ランプ１７，スピーカ２６が接続されている。また、赤外線通信機１８及びアダプタージャック２１は、制御部２９と入出力可能に接続されている。
【００４１】
アダプタージャック２１は、データベース３０に記憶された娯楽情報を新たな娯楽情報に更新したり、制御部２９やデータベース３０のメモリに記憶された情報を外部に取り出したりする場合に用いられる接続部である。すなわち、アダプタージャック２１にメモリーカードリーダ等の読み書き可能な外部装置を接続することにより、制御部２９が、メモリーカードリーダに装着されたメモリーカード内のデータをデータベース３０に取り込んだり、データベース３０や制御部２９のメモリに記憶されたデータをメモリーカードに書き込んだりする。なお、メモリーカードリーダを車両用警報装置１０が備える構成としても良い。また、本車両用警報装置１０は、赤外線通信機１８によって上記データの送受信を行うことも可能である。
【００４２】
制御部２９は、周知のＧＰＳ警報機能，マイクロ波警報機能，無線警報機能の他に、娯楽情報提供機能として車両の走行距離を仮想経路上に表示する仮想経路表示機能を備えている。そこで以下では、上記娯楽情報を提供するにあたって制御部２９が行う仮想経路表示処理を、図３のフローチャートに基づいて説明する。
【００４３】
ステップＳ１０１では、切替ボタン１５が操作されたか否かを判定する。切替ボタン１５が操作された場合には、ステップＳ１０２〜ステップＳ１０６に示す仮想経路設定処理を行った後にステップＳ１０７に進み、切替ボタン１５が操作されなかった場合には、仮想経路設定処理を行うことなくステップＳ１０７に進む。
【００４４】
仮想経路設定処理では、先ずステップＳ１０２にて表示モード切替処理を行う。本車両用警報装置１０は、仮想経路の表示モードとして、図４（ａ）に示すような表示装置１２に日本地図が表示される日本一周モードと、図４（ｂ）に示すような表示装置１２に地球儀が表示される世界一周モードとを有している。表示モード切替処理では、それまでの表示モードが日本一周モードであった場合、表示モードを世界一周モードに切り替え、それまでの表示モードが世界一周モードであった場合、表示モードを日本一周モードに切り替える処理を行う。
【００４５】
ステップＳ１０３では、ルート選択処理を行う。ルート選択処理では、現在の表示モードが世界一周モードであるか否かを判定し、世界一周モードでない場合にはそのままステップＳ１０４に進む。現在の表示モードが世界一周モードである場合には、仮想経路として、赤道上を通って地球を一周する赤道ルートと、北極点及び南極点を通過するように地球を一周する極点ルートと、北米大陸を通過するように地球を一周する北米ルートと、日本を通過するように地球を一周する日本ルートと、を地球儀上に表示するとともに、スピーカ２６から「仮想経路を選択してください。」という音声を出力する。その後、選択ボタン１４が操作された場合には、上記各仮想経路のうち１つを強調表示し、設定ボタン１３が操作された場合には、強調表示している仮想経路以外の仮想経路を非表示とし、ルート選択処理を終了する。ちなみに、図４（ｂ）は、世界一周ルートの極点ルートが選択された場合を示す図である。
【００４６】
ステップＳ１０４では、スタート地点設定処理を行う。スタート地点設定処理では、現在の表示モードが日本一周モードであるか否かを判定する。現在の表示モードが日本一周モードである場合には、日本地図上の沖縄，九州，四国，中国，近畿，東海，北陸，関東，東北，北海道の１０箇所にスタート地点を表示するとともに、スピーカ２６から「スタート地点を選択してください。」という音声を出力する。その後、選択ボタン１４が操作された場合には、上記各スタート地点のうち１つを強調表示し、設定ボタン１３が操作された場合には、強調表示しているスタート地点以外のスタート地点を非表示とし、スタート地点設定処理を終了する。また、現在の表示モードが日本一周モード以外のモードである場合には、予め設定した地点をスタート地点とし、スタート地点設定処理を終了する。例えば世界一周モードである場合には、北緯０度、東経１５０度の位置にスタート地点を設定する。
【００４７】
ステップＳ１０５では、積算距離把握処理を行う。制御部２９のＲＡＭには、車両の走行距離を累積記憶する積算距離記憶エリアが設けられており、積算距離把握処理では、前記積算距離記憶エリアに記憶された情報すなわち車両の積算距離を把握する。
【００４８】
ステップＳ１０６では、現在地点表示処理を行う。現在地点表示処理では、仮想経路のスタート地点からステップＳ１０５にて把握した積算距離分だけ移動した箇所に現在地点を表示する。
【００４９】
ステップＳ１０７では、ＧＰＳ衛星からＧＰＳデータを受信したか否かを判定する。ＧＰＳデータを受信した場合には、ステップＳ１０８〜ステップＳ１１０に示す仮想経路進行処理を行った後にステップＳ１１１に進み、ＧＰＳデータを受信していない場合には、仮想経路進行処理を行うことなくステップＳ１１１に進む。
【００５０】
仮想経路進行処理では、先ずステップＳ１０８にて走行距離算出処理を行う。走行距離算出処理では、ＧＰＳデータから車両の現在位置を導出し、当該導出結果と、先の走行距離算出処理において導出した車両の現在位置と、により車両の走行距離を算出する。走行距離算出処理は、例えば一定時間毎（例えば１秒毎）に取得した車両の現在位置の変動量から求めるようにすると良い。続くステップＳ１０９では、算出した走行距離を積算距離記憶エリアに記憶された値に加算する。その後、ステップＳ１１０では、算出した走行距離分だけ現在地点を移動表示させる移動表示処理を行う。移動表示処理では、現在の表示モードが日本一周モードである場合、算出した走行距離分だけ日本地図上で現在地点を実際に移動させる。また、現在の表示モードが世界一周モードである場合には、地球儀を前記走行距離分だけ回転表示させることにより、現在地点を移動させることなく当該現在地点が移動したかのように表示する。なお、図４（ａ）には沖縄県が表示されていないが、移動表示処理を行った結果として東京都よりも西に現在地点が位置する状況となった場合、北海道が非表示となるとともに沖縄県が表示されるようになっている。
【００５１】
ステップＳ１１１では、位置関係把握処理を行う。データベース３０には、各仮想経路に対して設定された目標地点に関わるデータが記憶されている。例えば極点ルートでは、スタート地点，ユーラシア大陸等の大陸上陸地点，ユーラシア大陸等の大陸離脱地点，北極点，南極点，ゴール地点等が目標地点として設定されている。位置関係把握処理では、現在地点と、現在地点に最も近い目標地点との距離を把握する。ステップＳ１１２では、ステップＳ１１１の把握結果が所定距離（例えば５ｋｍ）以下であるか否かを判定する。所定距離以下でない場合には、そのまま本処理を終了し、所定距離以下である場合には、ステップＳ１１３にて演出表示処理を行った後に本処理を終了する。演出表示処理では、現在地点から所定距離以下にある目標地点と対応する演出を表示する。例えば、極点ルートを表示中であって、現在地点がユーラシア大陸上陸の５ｋｍ手前となった場合には、地球儀の表示に加えて「ユーラシア大陸まであと５ｋｍ」との表示がなされる。その後、車両の走行距離にあわせてユーラシア大陸までの距離がカウントダウン表示されるとともに、ユーラシア大陸に到達した場合には、図４（ｃ）に示すように、ユーラシア大陸上陸を祝福する祝福画面が表示される。また、日本一周モードにおいては、目標地点と対応する名所旧跡等の画像が表示される。
【００５２】
以上詳述した本実施の形態によれば、以下の優れた効果を奏する。
【００５３】
表示装置１２に車両の現実の移動経路と無関係な経路を仮想経路として表示し、車両の移動距離によって仮想経路における現在地点を移動表示する構成とした。かかる構成とすることにより、車両の現実の移動距離が仮想経路上ではどれだけ移動したことになるのかをドライバーに報知することができ、ドライバーに購買意欲を生じさせることが可能となる。
【００５４】
ＧＰＳデータを受信した場合、車両用警報装置１０が車両の走行距離を導出する構成とした。かかる構成とすることにより、車両用警報装置１０を車両に搭載する作業を容易なものとすることが可能となる。確かに、車両のオドメータに接続されたケーブルをコネクタ部２２に接続し、取得した車両の積算距離情報に基づいて仮想経路における現在地点を移動表示させる構成とすることも可能である。しかしながら、かかる構成とした場合には、前記ケーブルをコネクタ部２２に接続する作業が必要となり、車両用警報装置１０を車両に搭載する作業が煩雑化する可能性が懸念される。一方、ＧＰＳデータに基づいて車両の走行距離を導出する構成においては、ＧＰＳ受信機２５が車両用警報装置１０に予め搭載されたものであるため上記作業が不要となり、車両用警報装置１０を車両に搭載する作業を容易なものとすることが可能となる。この結果、例えば車両を複数所有するドライバーは、運転する車両に車両用警報装置１０を搭載し直したりすることで所有する車両の移動距離の合算を仮想経路上に表示させることができる。
【００５５】
表示モードとして世界一周モードと日本一周モードを備える構成とした。世界一周モードでは、いずれの仮想経路が選択された場合であっても一周の距離は約４万ｋｍである。日本一周モードでは、一周の距離が約１万ｋｍである。一般のドライバーは、１年の走行距離が１万ｋｍ前後であると想定されるため、日本一周モードで一周させる場合に約１年、世界一周モードで一周させる場合に約４年を要するものと想定される。このように車両を複数の日数にわたって走行させなければゴール地点に到達できない仮想経路を備える構成とすることにより、ドライバーにゴール地点に到達させたいという意欲を生じさせることが可能となり、車両を走行させる楽しみを提供することが可能となる。さらにいうと、一般のドライバーは日常生活において車両を通勤目的等で走行させることが多い。このため、実際の移動経路にあまり変化がないことが一般的であり、車両を走行させる楽しみが走行距離に応じて減退していく可能性が考えられる。しかしながら、仮想経路を表示する構成とした場合には、日常生活において決まった経路ばかりを走行するドライバーであっても、仮に日本一周していたら等に思いを馳せることができ、走行距離が多くなった場合にゴール地点に近づいているという喜びを抱くことができる。故に、ドライブを趣味としているか否か等を問わずドライバーに購買意欲を生じさせることが可能となる。
【００５６】
現在地点が目標地点に接近した場合に演出表示処理を行う構成とした。複数の日数にわたって車両を運転させた場合にゴール地点に到達可能となる構成においては、ゴール地点への到達をドライバーが途中で諦めてしまう可能性が考えられる。しかしながら、目標地点を設定し、現在地点が目標地点に接近した場合に演出表示を行うことにより、ゴール地点に到達するまで当該ゴール地点に到達させたいというドライバーの意欲を維持することが可能となる。
【００５７】
世界一周モードと日本一周モードをドライバー又は車両の同乗者（以下、これらを総称して「使用者」という。）が選択可能な構成とした。かかる構成とすることにより、使用者の要望に即した仮想経路を表示することが可能となる。また、表示モードを切り替えた場合には積算距離把握処理を行った上で現在地点を表示する構成としたため、車両の現実の移動距離が仮想経路のそれぞれにおいてどれだけ移動したことになるのかをドライバーに報知することができ、車両を走行させる楽しみを提供することが可能となる。
【００５８】
メモリーカードリーダ等の外部装置を接続するためのアダプタージャック２１を設けたため、データベース３０に記憶された娯楽情報を新たな娯楽情報に更新することができる。この結果、例えば新たな仮想経路を導入する等を行うことでドライバーが仮想経路表示機能に飽きてしまうことを抑制することが可能となる。また、データベース３０に記憶された娯楽情報を新たな娯楽情報に更新することに限らず、制御部２９やデータベース３０のメモリに記憶された情報を外部に取り出すことができる。このためドライバーは、車両用警報装置１０を買い換えた場合に、以前の車両用警報装置１０の積算距離記憶エリアに記憶された走行距離を新たに購入した車両用警報装置１０において引き続き使用することができる。
【００５９】
なお、上述した各実施の形態の記載内容に限定されず、例えば次のように実施してもよい。
【００６０】
（１）上記実施の形態では、日本地図や地球儀の全体を表示する構成としたが、日本地図や地球儀の一部を拡大表示する構成としても良い。
【００６１】
また、現実に車両が走行している経路と異なる仮想経路を表示する構成とすれば、上記実施の形態と同様の作用効果を奏することが期待できる。例えば、北海道一周ルートを表示する構成としても良いし、北米大陸一周ルートを表示する構成としても良い。さらに、北海道から沖縄を目指す経路等のスタート地点とゴール地点が異なる経路を仮想経路として設定しても良い。なお、ここでは「現実に車両が走行している経路と異なる仮想経路」と表記しているが、例えばドライバーが実際に日本一周を目指して車両を走行させている場合、現実に車両が走行している経路と仮想経路が一致する事象が生じ得る。
【００６２】
（２）上記実施の形態では、日本地図上や地球儀上に仮想経路を表示する構成、すなわち仮想経路を２次元で表示する構成としたが、仮想経路を３次元で表示する構成としても良い。
【００６３】
（３）上記実施の形態では、ＧＰＳデータを受信した場合に車両用警報装置１０の制御部２９が車両の走行距離を算出する構成としたが、車両のオドメータに接続されたケーブルや、ＣＡＮ等の車内ＬＡＮや故障診断ポート等に接続したケーブルをコネクタ部２２に接続し、車両から入力される走行距離に関わる情報を用いて現在地点を移動表示させる構成としても良い。
【００６４】
（４）上記実施の形態では、日本一周モードと世界一周モードとを備え、両者を切り替え可能な構成としたが、一方の表示モードのみを備える構成としても良いし、仮想経路を１つのみ備えた構成としても良い。
【００６５】
（５）上記実施の形態では、データベース３０に予め記憶された目標地点に基づいて演出表示を行う構成としたが、使用者が目標地点を設定可能な構成としても良い。スタート地点及びゴール地点についても同様である。
【００６６】
（６）各表示モードにおいて周回数を表示する構成としても良い。
【００６７】
（７）上記実施の形態では、娯楽情報として仮想経路上における移動距離を表示する構成としたが、これに代えて又は加えて、他の娯楽情報を提供する構成としても良い。他の娯楽情報としては、星占いやバイオリズム等の使用者の将来を予測した情報や、宝くじの当選番号予測等の使用者の利益に関わる情報、車両の走行状態等によって進行するロールプレイングゲーム等の各種ゲーム機能が考えられる。また、娯楽情報は、上記実施の形態のように常時提供する構成に限らず、所定条件が成立した場合に提供する構成としても良い。所定条件としては、車両用警報装置１０の電源スイッチ２０が操作されること（すなわち車両用警報装置１０が電源ＯＦＦ状態から電源ＯＮ状態に切り替わったこと）、ＧＰＳデータを受信したこと、マイクロ波を受信したこと、無線を受信したこと、警報ランプ１７を点灯させる等の報知を行ったこと、車両が法定速度以下で一定時間走行したこと、車両の有するセンサ，車内ＬＡＮ，故障診断ポートから取得した情報が所定の状態に変化したこと等とすると良い。以下では、上記各娯楽情報と上記各所定条件を組み合わせた場合に実現できる具体例を説明する。
【００６８】
例えば、データベース３０には、各ＧＰＳ衛星と星座とを１対１で対応付けた衛星情報データを予め記憶させておく。そして、車両用警報装置１０が電源ＯＮ状態となってから最初にＧＰＳデータを受信した場合には、当該ＧＰＳデータの出力先のＧＰＳ衛星を特定する。その後、衛星情報データを参照し、特定したＧＰＳ衛星と対応する星座を最も運勢の良い星座として表示装置１２に表示する。このとき、星座の他に交通安全の標語を表示装置１２に表示したりスピーカ２６から音声出力したりする構成とすれば、車両の運転に関わる有益な情報を使用者に提供することが可能となり、交通安全に寄与することができる。
【００６９】
例えば、マイクロ波を受信したことに基づいて警報ランプ１７を点灯させたりスピーカ２６から警報音を出力したりした場合に、１〜９の数字図柄と、猫図柄と、により構成される図柄列を、表示装置１２において３列循環表示させる。そして、同一図柄の組合せを最終停止表示した場合には、使用者に特典を付与する。特典の付与としては、所定時間（例えば３秒）にわたってスピーカ２６から音楽を出力する、使用者によって事前にデータベース３０に登録されたお気に入り画像を表示装置１２に表示する、所定の文字列を表示装置１２に表示するとともに前記文字列が製造会社等に報告された場合に景品をプレゼントする、等を行う。
【００７０】
一例を挙げて説明すると、図５（ａ）に示すように、表示装置１２の下部には、景品情報表示領域１２ａと、左図柄列表示領域，中図柄列表示領域，右図柄列表示領域により形成される図柄表示領域１２ｂとを設ける。他の領域は速度測定装置の位置等の警報情報を表示するための警報情報表示領域である。スピーカ２６から警報音を出力した場合、制御部２９は、図５（ａ）に示すように、左図柄列，中図柄列及び右図柄列の各図柄が上から下に循環するように表示させる。すなわち、１〜９，猫図柄の順に表示させ、猫図柄を表示させた後は再度１図柄から順に表示させる。図５（ｂ）に示すように、各図柄列表示領域に同一の数字図柄を最終停止表示させた場合には、一定時間（数秒間）音楽をスピーカ２６から出力したり、一定時間（約３時間）にわたって隠れキャラクタによる音声警報をスピーカ２６から出力したりする。なお、隠れキャラクタは複数設定されている。図５（ｃ）に示すように、各図柄列表示領域に数字図柄ではなく猫図柄を最終停止表示した場合には、景品情報表示領域１２ａに所定の文字列（ｙｐ１２３４５６）を表示する。この所定の文字列を葉書等に記入して車両用警報装置１０の製造会社に報告した場合には、製造会社の製品がプレゼントされる。なお、表示装置１２に景品情報表示領域１２ａや図柄表示領域１２ｂを設けるのではなく、図６（ａ）及び図６（ｂ）に示すように表示装置１２の全画面を用いて図柄列の変動表示や景品情報を表示する構成としても良い。また、上から下に循環表示するのではなく、表示画面奥から飛び出す（小さな図柄が大きくなっていく）ように表示しても良いし、フラッシング表示しても良い。
【００７１】
ここで、速度測定装置から出力される周波数帯のマイクロ波は、自動ドア等においても使用されている。このため、マイクロ波受信機２４がマイクロ波を受信した場合に警報音等で報知する構成においては、速度測定装置等の目標物以外から出力されたマイクロ波の受信を誤報知してしまう場合が生じ得る。そして、誤報知した場合には、ドライバーが車両用警報装置１０の利用意欲を減退させてしまう可能性が考えられる。そこで、警報音等で報知した場合に図柄の変動表示を開始する構成とすることにより、誤報知してしまった場合であっても特典が付与される期待感をドライバーに抱かせることが可能となり、上記懸念を好適に解消することができる。さらにいうと、マイクロ波を受信した場合に受信強度等によって目標物から出力されたマイクロ波であるか否かを判断する機能を有し、目標物から出力されたマイクロ波であると判断した場合に警報等で報知する構成に適用した場合には、より好適な結果を得ることができる。上記機能を有する車両用警報装置１０において誤報知が発生した場合、誤報知されないことを期待して上記判断機能を備えた車両用警報装置１０を購入したドライバーは、新たな車両用警報装置１０の購買意欲を喪失させてしまう可能性が考えられるからである。
【００７２】
例えば、制御部２９を、ＧＰＳデータを受信した場合に車両の走行速度を導出する速度導出機能を有する構成とする。表示装置１２には、猫等の主人公キャラクタが表示される構成とする。そして、車両速度測定装置等の目標物に接近していない状況においては、車両の走行速度が予め定めた目標速度（例えば６０ｋｍ）を下回っている場合、主人公キャラクタが武器を入手してレベルが上昇する等の主人公キャラクタが強くなる演出を行い、走行速度が目標速度を上回っている場合、主人公キャラクタが罠にかかってレベルが低下する等の主人公キャラクタが弱くなる演出を行う。車両速度測定装置等の目標物に接近した場合には、警報ランプ１７等で報知するとともに、主人公キャラクタと敵キャラクタの戦闘演出を開始する。戦闘演出では、戦闘演出開始時における主人公キャラクタのレベルと、目標物接近後の車両の走行速度と、に基づいて勝敗を決定する。具体的には、車両の走行速度が法定速度を上回っている場合には、主人公キャラクタの敗北する確率が非常に高くなり、車両の走行速度が法定速度を下回っている場合には、主人公キャラクタのレベルが高いほど勝利する確率が高くなる構成とする。これに加えて、使用者の関心が低下することを抑制すべく、敵キャラクタを予め複数設定しておき、主人公キャラクタが勝利する度に強い敵キャラクタが登場する構成とし、最も強い敵キャラクタに勝利した場合には特典を付与する構成とする。
【００７３】
かかる構成においては、主人公キャラクタが最も強い敵キャラクタに勝利することをドライバーに期待させながら車両を走行させることが可能となり、車両が目標物に接近した場合に戦闘演出を通じて速度超過に対する注意を喚起することができる。また、主人公キャラクタの勝利する確率は目標物接近前の車両の走行速度に基づくため、車両が目標物に接近していない場合であっても目標速度以下で走行するよう促すことが可能となり、安全運転に貢献することが可能となる。さらに、走行速度が目標速度を上回った場合に主人公キャラクタのレベルが低下する構成としたため、主人公キャラクタのレベルが高くなったから目標速度を上回る速度で走行しても大丈夫だろう等の気の緩みが生じることを抑制することが可能となり、安全運転に貢献することが可能となる。
【００７４】
上記実施の形態及び上記各構成により、以下の車載用電子機器が想起される。
【００７５】
所定情報の所定の変動をトリガーとして娯楽情報を提供する娯楽情報提供手段を備えたことを特徴とする車載用電子機器。
【００７６】
娯楽情報を提供する娯楽情報提供手段と、所定情報の所定の変動に応じて娯楽情報の提供態様を変化させる提供態様変化手段とを備えたことを特徴とする車載用電子機器。
【００７７】
（８）上記実施の形態のような車両用警報装置１０では、車両の位置等に基づいてＧＰＳ警報，マイクロ波警報，無線警報等の各種警報情報を提供するため、警報情報を提供するタイミングがランダムになりがちである。このため、娯楽情報を提供している際に警報情報を提供するタイミングとなったり、警報情報を提供している際に娯楽情報を提供するタイミングとなったりする。そこで以下では、警報情報と娯楽情報を好適な形で提供する構成について説明する。
【００７８】
例えば、図７（ａ）に示すように、表示装置１２の表示画面を上下に分割し、娯楽情報を表示するための娯楽情報表示エリア１２１の下方に、各種警報を表示するための警報情報表示エリア１２２を設ける構成とする。なお、警報情報表示エリア１２２を娯楽情報表示エリア１２１の上方に設ける構成としても良いし、娯楽情報表示エリア１２１の上下両方に設ける構成としても良い。
【００７９】
例えば、図７（ｂ）に示すように、表示装置１２の表示画面を左右に分割し、娯楽情報表示エリア１２１の右方に警報情報表示エリア１２２を設ける構成とする。なお、警報情報表示エリア１２２を娯楽情報表示エリア１２１の左方に設ける構成としても良いし、娯楽情報表示エリア１２１の左右両方に設ける構成としても良い。
【００８０】
例えば、図７（ｃ）に示すように、表示装置１２の右下隅角部を分割して当該領域を警報情報表示エリア１２２とし、他の領域を娯楽情報表示エリア１２１とする構成とする。このとき、娯楽情報表示エリア１２１と警報情報表示エリア１２２の境界部に境界線を表示せず、一体的な表示を行う。なお、警報情報表示エリア１２２は左下隅角部，右上隅角部，左上隅角部のいずれに設けても良い。
【００８１】
これら構成とした場合には、娯楽情報を提供しつつ警報情報を提供することが可能となる。また、１つの表示装置１２にて娯楽情報と警報情報を共に表示する構成としたため、娯楽情報表示用の表示装置と警報情報表示用の表示装置を別個に設ける構成と比して、部品点数や取付工数の増加に伴うコストアップを抑制することが可能となる。なお、警報情報を表示する必要がない場合は表示装置１２の全画面にて娯楽情報を表示し、警報情報を表示する必要が生じた場合は表示画面を娯楽情報表示エリア１２１と警報情報表示エリア１２２に分割する構成としても良い。また、表示画面の下部と右部に警報情報表示エリア１２２を設ける等、上記各記載の構成を適宜組み合わせても良いことはいうまでもない。
【００８２】
スピーカ２６を用いて警報情報と娯楽情報を提供する場合には、警報情報の出力音と娯楽情報の出力音とで差別化を図ることが望ましい。差別化の例としては、警報情報を提供する場合に男性の音声で出力し、娯楽情報を提供する場合に女性の音声で出力する構成や、娯楽情報を音声で出力し、警報情報を音楽で出力する構成、警報情報を出力する場合には当該警報情報を出力する前に「ピロ・ピロ」等の特有音を出力する構成等が考えられる。
【００８３】
スピーカ２６を用いる場合には、警報情報の提供タイミングと娯楽情報の提供タイミングとが一致した場合、娯楽情報を優先出力して警報情報を出力しない構成としても良いし、警報情報を優先出力して娯楽情報を出力しない構成としても良い。また、取締りに関する警報情報に限って娯楽情報より優先出力し、他の警報情報については娯楽情報を優先出力する構成としても良い。さらに、警報情報を優先出力し、警報情報の出力を終えた後に娯楽情報を出力する構成としても良い。なお、警報情報を音楽で出力し、娯楽情報を音声で出力する構成においては、音楽に乗せて音声を出力することにより、警報情報と娯楽情報を同時に提供することも可能である。
【００８４】
表示装置１２の全画面にて娯楽情報を表示し、警報情報をスピーカ２６から出力する構成、すなわち、娯楽情報を提供する装置と、警報情報を提供する装置とを別個に設ける構成としても良い。また、表示装置１２に娯楽情報提供手段としての役割を付与し、スピーカ２６に娯楽情報提供手段及び警報情報提供手段としての役割を付与する構成としても良い。同様に、スピーカ２６に娯楽情報提供手段としての役割を付与し、表示装置１２に娯楽情報提供手段及び警報情報提供手段としての役割を付与する構成としても良い。
【００８５】
上記各構成により、以下の車載用電子機器が想起される。
【００８６】
所定周波数帯の電波を受信したこと等に基づいて警報情報を提供する警報情報提供手段と、娯楽情報を提供する娯楽情報提供手段とを備え、前記警報情報と前記娯楽情報を同時に提供可能な構成としたことを特徴とする車載用電子機器。
【００８７】
情報を表示する表示部を備え、前記表示部には、警報情報を表示するための警報情報表示エリアと、娯楽情報を表示するための娯楽情報表示エリアとを別個に形成したことを特徴とする車載用電子機器。
【００８８】
警報情報及び娯楽情報を表示可能な表示装置と、前記警報情報を表示する必要がない場合に前記娯楽情報を表示するとともに前記警報情報を表示しない第１表示態様とすべく前記表示装置を表示制御し、前記警報情報を表示する必要が生じた場合に前記娯楽情報と前記警報情報を共に表示する第２表示態様とすべく前記表示装置を表示制御する表示制御手段と、を備えたことを特徴とする車載用電子機器。
【００８９】
（９）上記実施の形態では、車両用警報装置１０に娯楽情報提供機能を付与した場合を例として説明したが、他の車載用電子機器に適用することも可能である。例えば、車両に搭載されるオドメータに仮想経路表示機能を付与しても良いし、ＥＴＣやナビゲーションシステム、オーディオ等に娯楽情報提供機能を付与しても良い。
【００９０】
以下、本発明の車載用電子機器を、必要に応じて効果等を示しつつ説明する。なお以下においては、理解の容易のため、上記実施の形態において対応する構成を括弧書き等で適宜示すが、この括弧書き等で示した具体的構成に限定されるものではない。
【００９１】
発明１．情報（仮想経路等）を表示する表示部（表示装置１２）と、
所定の仮想経路データを予め記憶する仮想経路データ記憶手段（データベース３０）と、
前記仮想経路データを用いて前記表示部に仮想経路を表示する仮想経路表示手段（制御部２９の表示モード切替処理Ｓ１０２における仮想経路表示機能）と、
前記表示部に前記仮想経路における現在地点を表示する現在地点表示手段（制御部２９の現在地点表示処理機能Ｓ１０６）と、
車両の移動距離を算出する算出手段（制御部２９の走行距離算出処理機能Ｓ１０８）と、
前記算出手段の算出結果に基づいて、前記現在地点を移動表示させる移動表示手段（制御部２９の移動表示処理機能Ｓ１１０）と
を備え、
前記仮想経路表示手段は、前記車両の現実の移動経路と無関係な経路を前記仮想経路として前記表示部に表示することを特徴とする車載用電子機器。
【００９２】
本発明によれば、車両の現実の移動経路と無関係な経路が仮想経路として表示され、車両の移動距離によって仮想経路における現在地点が移動表示される。かかる構成とすることにより、車両の現実の移動距離が仮想経路上ではどれだけ移動したことになるのかをドライバーに報知することができ、ドライバーに購買意欲を生じさせることが可能となる。
【００９３】
なお、「現在地点を移動表示させる」とは、仮想経路上で現在地点を実際に移動させるものに限らず、現在地点の表示位置を移動させることなく仮想経路を移動させることで現在地点が移動しているかのごとく表示するものも含む。
【００９４】
発明２．上記発明１において、ＧＰＳ衛星からのＧＰＳ衛星データを受信するデータ受信部（ＧＰＳ受信機２５）を備え、前記算出手段は、前記ＧＰＳ衛星データに基づいて前記車両の移動距離を算出することを特徴とする車載用電子機器。
【００９５】
本発明によれば、ＧＰＳ衛星からのＧＰＳ衛星データを受信するデータ受信部を備え、ＧＰＳ衛星データに基づいて車両の移動距離が算出される。かかる構成とすることにより、例えば車両を複数所有するドライバーは、運転する車両に車両用情報表示装置を搭載し直すことで所有する車両の移動距離の合算を仮想経路上に表示させることができる。
【００９６】
発明３．上記発明１又は発明２において、前記仮想経路データ記憶手段は、前記車両を複数の日数にわたって走行させた場合に終着地点に到達可能となる仮想経路を表示するための仮想経路データを記憶することを特徴とする車載用電子機器。
【００９７】
本発明によれば、仮想経路の終着地点に到達することを期待させながら複数の日数にわたって車両を走行させることが可能となり、車両を走行させる楽しみを提供することが可能となる。
【００９８】
発明４．上記発明３において、前記仮想経路に途中地点を設定する途中地点設定手段（制御部２９及びデータベース３０）と、前記途中地点と前記現在地点との位置関係を把握する把握手段（制御部２９の位置関係把握処理機能Ｓ１１１）と、前記把握手段の把握結果に基づいて前記途中地点と対応する演出を前記表示部に表示する演出表示手段（制御部２９の演出表示処理機能Ｓ１１３）とを備えたことを特徴とする車載用電子機器。
【００９９】
複数の日数にわたって車両を運転させた場合に終着地点に到達可能となる構成においては、終着地点への到達をドライバーが途中で諦めてしまう可能性が考えられる。そこで、途中地点を設定し、途中地点と現在地点との位置関係に基づいて途中地点と対応する演出を表示することにより、終着地点に到達するまで当該終着地点に到達させたいというドライバーの意欲を維持することが可能となる。
【０１００】
発明５．上記発明１乃至発明４のいずれかにおいて、前記仮想経路データ記憶手段に前記仮想経路データを予め複数記憶させるとともに、前記表示部に表示される仮想経路を選択すべく使用者に操作される選択操作手段（設定ボタン１３、選択ボタン１４、切替ボタン１５）を設けたことを特徴とする車載用電子機器。
【０１０１】
本発明によれば、複数記憶された仮想経路から使用者が表示部に表示したいと考える仮想経路を選択できるため、使用者の要望に即した仮想経路を表示することが可能となる。
【０１０２】
発明６．上記発明１乃至発明５のいずれかにおいて、前記仮想経路データ記憶手段は、前記仮想経路データを予め複数記憶するものであって、前記表示部に表示された仮想経路を変更すべく使用者に操作される変更操作手段（設定ボタン１３、選択ボタン１４、切替ボタン１５）と、前記変更操作手段が操作された場合、変更前の仮想経路における初期地点から現在地点までの移動距離を把握する移動距離把握手段（制御部２９の積算距離把握処理機能Ｓ１０５）とを備え、前記現在地点表示手段は、前記移動距離把握手段の把握結果に基づいて、変更後の仮想経路における現在地点を表示することを特徴とする車載用電子機器。
【０１０３】
本発明によれば、変更操作手段が操作された場合、変更前の仮想経路における初期地点から現在地点までの移動距離が把握され、当該把握結果に基づいて変更後の仮想経路における現在地点が表示される。かかる構成とすることにより、車両の現実の移動距離が仮想経路のそれぞれにおいてどれだけ移動したことになるのかをドライバーに報知することができ、車両を走行させる楽しみを提供することが可能となる。
【符号の説明】
【０１０４】
１０…車両用警報装置、１１…本体部、１２…表示装置、１３…設定ボタン、１４…選択ボタン、１５…切替ボタン、１６…リセットボタン、１７…警報ランプ、１８…赤外線通信機、１９…ソーラーパネル、２０…電源スイッチ、２１…アダプタージャック、２２…コネクタ部、２３…無線受信機、２４…マイクロ波受信機、２５…ＧＰＳ受信機、２６…スピーカ、２９…制御部、３０…データベース。
【図１】
0005561770.tif 000002
【図２】
0005561770.tif 000003
【図３】
0005561770.tif 000004
【図４】
0005561770.tif 000005
【図５】
0005561770.tif 000006
【図６】
0005561770.tif 000007
【図７】
0005561770.tif 000008